(57)【要約】【課題】支持強度が高く、しかも施行時間を大幅に低減することのできる引戸装置とその組立方法を提供すること。【解決手段】前扉４を後扉５内に収納可能に構成した収納型引戸装置１において、後扉５の上骨５ａには、上面に前扉４の後戸車用ブラケット７ｂの通過を許容するスリットＮを設けるとともに、後扉５の側面に前扉４の戸尻側に配設したフランジ９と前記ブラケット７ｂとを連結する固着手段Ｂの操作用開口部分Ｍを設ける。【選択図】図１
2007107259.tif 000002
【特許請求の範囲】
【請求項１】
前扉を後扉内に収納可能に構成した収納型引戸装置において、後扉の上骨には、上面に前扉の後戸車用ブラケットの通過を許容するスリットを設けるとともに、後扉の側面に前扉の戸尻側に配設したフランジと前記ブラケットとを連結する固着手段の操作用開口部分を設けたことを特徴とする引戸装置。
【請求項２】
前扉を後扉内に収納可能に構成した収納型引戸装置の組立方法であって、前扉の後戸車用ブラケットを後扉の上骨上面に設けたスリットに嵌入し、前扉を後扉内に進入させ、前記ブラケットの下端部と、前扉の戸尻側上部に配設したフランジとを、後扉内でその側面に開口した開口部分において合致させ、前記開口部分を通して固着手段を挿入し、前扉の後戸車用ブラケットと前扉の戸尻側に配設したフランジとを固定することを特徴とする引戸装置の組立方法。
【発明の詳細な説明】
【技術分野】
【０００１】
本発明は、引戸装置とその組立方法に関し、特に、一方の扉を他方の扉に収納可能に構成した収納型の引戸装置とその組立方法に関するものである。
【背景技術】
【０００２】
従来、収納型の引戸装置としては、戸袋の幅を縮小し、引戸装置全体の小型化を計ることを目的として、図４に示すように、引戸を前後に区分し、前扉は後方の扉内に収納可能とした収納型引戸装置７０がある（例えば、特許文献１参照）。
【０００３】
この引戸装置７０は、間隔をあけて平行に配置された板材７４、７４の上端及び下端のコーナー部分で連結板７５、７５により連結し、内部に第２扉７２の収納空間を形成した第１扉７１と、第１扉７１と同様に平行に配置された板材７６、７６を連結板７７、７７によって連結した第２扉７２とからなる。なお、第２扉７２は一枚物の板材から構成してもよい。
７３は、連結板７５、７５、７７、７７に取り付けたローラ等の走行体を示し、レール７８内を走行するように構成する。
【０００４】
しかし、上記構成による引戸装置７０は、連結板７５、７７のみによる板材の連結では、板面に対する垂直荷重に対し非常に弱く、外力により容易に変形し、引戸のスムーズな開閉に支障をきたす等の問題があった。
【０００５】
このため、本出願人が先に提案した引戸装置５０がある。この引戸装置５０は、前扉を後扉内に収納可能に構成した収納型引戸装置であって、後扉の上面に受け入れ用切り欠き部を、前扉には両側面上部に進入用切り欠き部を設け、相互に干渉しない位置に戸車を配設するようにしている。
【０００６】
ところで、この引戸装置５０は、後扉５２の一側面を開放し、上面には受け入れ用切り欠き部ｍを設ける。そして、前扉５１には、両側面上部に進入用切り欠き部ｎを設けるとともに、戸車５３、５３を配設するようしている。
そして、この引戸装置５０の組立方法は、図５に示すように、後扉５２に、後方の戸車５４ｂを取り付けた状態で、前扉５１を後扉５２の開放された側面から進入せしめ、受け入れ用切り欠き部ｍを越え後扉５２の上面において前扉５１に形成した進入用切り欠き部ｎが入り込み、図５（ｂ）に示す形状に組み合わせる。
ついで、図５（ｃ）に示すように後扉５２前方の戸車５４ａを備えるコ字状のフランジｆを前扉５１をまたぐようにして後扉５２前方にネジ・ボルト等の適宜手段で取り付ける（例えば、特許文献２参照）。
【０００７】
しかし、前扉には両側面上部に進入用切り欠き部ｎを設けることから支持強度が十分でなく、引戸のスムーズな開閉に支障をきたすという問題があった。
【特許文献１】特開２００２−１９４９５６号公報
【特許文献２】特開２００４−２７０３７０号公報
【発明の開示】
【発明が解決しようとする課題】
【０００８】
本発明は、上記従来の引戸装置の組立方法の有する問題点に鑑み、支持強度が高く、しかも施行時間を大幅に低減することのできる引戸装置とその組立方法を提供することを目的とする。
【課題を解決するための手段】
【０００９】
上記目的を達成するため、本発明の引戸装置は、前扉を後扉内に収納可能に構成した収納型引戸装置において、後扉の上骨には、上面に前扉の後戸車用ブラケットの通過を許容するスリットを設けるとともに、後扉の側面に前扉の戸尻側に配設したフランジと前記前扉の後戸車用ブラケットとを連結する固着手段の操作用開口部分を設けたことを特徴とする。
【００１０】
また、上記引戸装置を使った本発明の引戸装置の組立方法は、前扉を後扉内に収納可能に構成した収納型引戸装置の組立方法であって、前扉の後戸車用ブラケットを後扉の上骨上面に設けたスリットに嵌入し、前扉を後扉内に進入させ、前記ブラケットの下端部と、前扉の戸尻側上部に配設したフランジとを、後扉内でその側面に開口した開口部分において合致させ、前記開口部分を通して固着手段を挿入し、前扉の後戸車用ブラケットと前扉の戸尻側に配設したフランジとを固定することを特徴とする。
【発明の効果】
【００１１】
本発明の引戸装置とその引戸装置の組立方法によれば、前扉の後戸車用ブラケットの下端部と前扉の戸尻側に配設したフランジとを、後扉の上骨内で合致させた後、前記上骨の側面の開口部分を通して容易に固着手段を挿入して連結することができる引戸装置とその組立方法を提供することができる。
【発明を実施するための最良の形態】
【００１２】
以下、本発明の引戸装置の組立方法の実施の形態を、図面に基づいて説明する。
【実施例１】
【００１３】
図１〜図３に、本発明の引戸装置の一実施例を示す。図において、ａは、点検窓ラインを、ｂは、方立ラインを示す。
この引戸装置１は、引戸枠部材２と、該枠部材２の一側に形成された戸袋３と、該戸袋３に収納される後扉５と、その後扉５内に収納される前扉４と、前扉４と後扉５に配設する前後の戸車を載置する走行用レール６とより構成される。
そして、後扉５の上骨５ａには、上面に前扉４の後戸車用ブラケット７ｂの通過を許容するスリットＮを設けるとともに、その側面戸先側に前扉４の戸尻側に配設したフランジ９と前記後戸車用ブラケット７ｂとを固着手段Ｂ（六角穴付きボルト等が好ましい）を用いて固着する際に工具の進入を許容するための開口部分Ｍを設けるようにしている。
スリットＮの幅は、図２に示すように、後戸車用ブラケット７ｂの幅よりも大きく、その長さは、後扉への前扉の収納長さ及び前後の扉幅より適宜決定される。
また、後扉５の上骨５ａ上面には、走行用レール６に載置する前後の戸車を回動自在に配設するブラケット８ａ、８ｂを前後に取り付ける。
【００１４】
前扉４には、その戸先側に走行用レール６に載置する前戸車を回動自在に配設するブラケット７ａと、戸尻側に後戸車用ブラケット７ｂを固定するためのフランジ９を配設する。フランジ９には、後戸車用ブラケット７ｂをボルトなどの固着手段Ｂによって固着するためのねじ穴９ａを穿孔する。
【００１５】
前扉４と後扉５との連動装置１０は、後扉５の前戸車用ブラケット８ａと後戸車用ブラケット８ｂに回動自在に取り付けた連動プーリ１１ａ、１１ｂに連動条体１２を係回し、連動条体１２の適宜箇所を、固定金具１３で引戸枠部材２に固定する。
そして、前扉４の後戸車用ブラケット７ｂの適所に、接合金具１４によって連動条体１２を固定する。これによって、後扉５は、前扉４の移動距離Ｌに対して半分のＬ／２の距離だけ移動するようになる。
【００１６】
しかして、本発明の引戸装置１の組立方法は、図２、図３に示すように、前扉４の後戸車用ブラケット７ｂを後扉５の上骨５ａに設けたスリットＮに嵌入し、後扉５の前後の戸車と前扉４用の前記ブラケット７ｂを有する後戸車を走行用レール６に載置し、後扉５の前後に配設した連動プーリ１１ａ、１１ｂ間に連動条体１２を掛けまわす。そして、引戸枠部材２と連動条体１２を固定金具１３で固定し、前記前扉４の後戸車用ブラケット７ｂと連動条体１２を接合金具１４で接合した後、スリットＮを通って挿入された前記後戸車用ブラケット７ｂの下端部に形成された接合用孔Ｈが、後扉５の上部側面戸先側の開口部分Ｍに位置するようにしておき、前扉４の戸尻側上面に形成されたフランジ９が後扉５の前記開口部分Ｍに合致するところまで前扉４を後扉５内に進入させ、停止させる。しかる後、後扉５の前記開口部分Ｍを通して固着手段Ｂ及びその操作工具を挿入して前扉の後戸車用ブラケット７ｂと前扉４の戸尻側に配設したフランジ９とを固着手段Ｂによって固着するようにする。
なお、前扉の戸尻側上面に形成されたフランジ９を後扉５の開口部分Ｍに合致させるための前扉４の傾動操作としては、扉面に吸盤工具を装着し、該工具を介して戸尻側を引き上げるようにすればよく、これにより前戸車だけで吊られている状態の前扉４を容易に傾動できる。
【００１７】
また、上記の説明では、後扉５のスリットＮを通して挿入されたブラケット７ｂと、後扉５内に進入させた前扉４のフランジ９とを後扉５の上骨５ａ内で合致させる手順として、先に後扉５に装着された両連動プーリ１１ａ、１１ｂに連動条体１２を係回して、連動条体１２にブラケット７ｂを保持（接合金具１４で接合）させておくようにしたが、これとは反対に先に後扉５に前扉４を進入させ待機させておくようにしてもよい。
さらに、上記の説明では開口部分Ｍを後扉５の上保ね５ａの側面戸先側に形成させた例を示すが、後扉５の本体側面に形成することもできる。
【００１８】
以上、本発明の引戸装置とその組立方法について、実施例に基づいて説明したが、本発明は上記実施例に記載した構成に限定されるものではなく、その趣旨を逸脱しない範囲において適宜その構成を変更することができるものである。
【産業上の利用可能性】
【００１９】
本発明の引戸装置とその組立方法は、後扉内において、前扉の戸尻側に配設したフランジと後戸車用ブラケットとを簡単に連結することができるという特性を有していることから、新規設備の引戸装置に用いることができる他、例えば、既設建造物の改造工事においても、前後の扉を交換することによって適用することができる。
【図面の簡単な説明】
【００２０】
【図１】本発明の引戸装置の一実施例を示す一部切り欠きの正面図である。
【図２】図１のＸ−Ｘの一部切り欠きの断面図である。
【図３】本発明の引戸装置の組立方法を示す一部切り欠きの断面図で、（ａ）は、後扉を引戸枠部材に組み込んだところを、（ｂ）は前扉の状態を、（ｃ）は、（ａ）のＹ−Ｙ断面図を、（ｄ）は、前扉と後扉を接合したところを示す。
【図４】従来の引戸装置を示す一部断面の斜視図である。
【図５】従来の引戸装置の組立方法を示す斜視図である。
【符号の説明】
【００２１】
１    引戸装置
２    引戸枠部材
３    戸袋
４    前扉
５    後扉
５ａ  上骨
６    走行用レール
７    戸車用ブラケット
８    戸車用ブラケット
９    フランジ
１０  連動装置
１１ａ  連動プーリ
１１ｂ  連動プーリ
１２  連動条体
１３  固定金具
１４  接合金具
Ｍ    開口部分
【図１】
2007107259.tif 000003
【図２】
2007107259.tif 000004
【図３】
2007107259.tif 000005
【図４】
2007107259.tif 000006
【図５】
2007107259.tif 000007